(57)【特許請求の範囲】
【請求項１】
上下にかご室を有し、上かごの開閉扉の下部に垂設されたエプロンが下かごの開閉扉の上部に立設された整風部材に連結されてなるダブルデッキエレベータにおいて、
前記整風部材は、上下方向に長さが伸縮自在に構成され、かつ、上かごまたは下かごに連結固定された案内部材に案内されて伸縮するように構成されたことを特徴とするダブルデッキエレベータ。
【請求項２】
前記整風部材は、前後方向に重ね合わせ部を有して上下に配置された少なくとも一対の横板により構成され、前記重ね合わせ部における上下方向の長さを可変できるように構成されたことを特徴とする請求項１記載のダブルデッキエレベータ。
【請求項３】
前記一対の横板は、パンタグラフ機構により上下方向に伸縮自在に構成されたことを特徴とする請求項２記載のダブルデッキエレベータ。
【請求項４】
前記整風部材は、蛇腹状に構成されたことを特徴とする請求項１記載のダブルデッキエレベータ。
【請求項５】
前記整風部材は、一端部が前記エプロンまたは前記下かごの開閉扉の上部に固定された可撓部材と、前記下かごの開閉扉の上部または前記エプロンに固定され前記可撓部材の他端部を巻き取る巻き取り機構とで構成されたことを特徴とする請求項１記載のダブルデッキエレベータ。
【請求項６】
上下にかご室を有し、上かごの開閉扉の下部に垂設されたエプロンと下かごの開閉扉の上部に立設された整風板とを有するダブルデッキエレベータにおいて、
前記整風板と前記エプロンとは、互いに前後方向に重ね合わせ部を有し、上かごまたは下かごに連結固定された案内部材に案内されて相対的に上下移動できるように構成されたことを特徴とするダブルデッキエレベータ。
【発明の詳細な説明】
【０００１】
【発明の属する技術分野】
本発明は、下かごの開閉扉上に整風部材を設けたダブルデッキエレベータの改良に関する。
【０００２】
【従来の技術】
一般に、トラクション方式のダブルデッキエレベータは、図７に示すように構成されている。
【０００３】
すなわち、乗りかご１は、かご枠２と、このかご枠２内で上下に搭載された上かご３１及び下かご３２とで構成され、昇降路４内に立設された一対のガイドレール５１，５２に案内されて昇降移動する。
【０００４】
かご枠２は、上梁２１及び下梁２２と、これら上下各梁２１，２２の左右両端部でそれぞれ固定された立枠２３，２３と、これら立枠２３，２３の中間部間に固定された中間梁２４等で構成され、乗りかご１は上梁２１に設けられたヒッチプレート２５を介して、図示しない機械室内の巻上機から垂下された主索６に連結されている。
【０００５】
かご枠２内の上かご３１及び下かご３２は、それぞれ中間梁２４及び下梁２２上に、床受け枠２６，２６及び防振ゴム２７，２７を介して載置されている。
【０００６】
なお、下梁２２には、補償ロープ７が図示しない釣り合いおもりとの間に連結され、また図示しないエレベータ制御装置から乗りかご１に電力や制御信号等を伝送するためのテールコード８が接続されている。
【０００７】
図８には、上記ダブルデッキエレベータにおける上かご３１と下かご３２との間の出入り口側のつながり部分の要部構成が示されている。
【０００８】
図８に示したように、上かご３１の開閉扉３１１の下方、すなわち敷居３１１ａの下部には、上かご３１に乗り降りする利用客の足先等を保護するために、板状のエプロン（ａｐｒｏｎ）３１２が下方に向け垂直に取り付けられている。
【０００９】
一方、下かご３２の開閉扉３２１の上には、整風板からなる整風部材３２２が立設して取り付けられ、この整風部材３２２と上記エプロン３１２とは合成ゴム等の緩衝材３３を介して連結されている。
【００１０】
ダブルデッキエレベータでは、上下の各かご３１，３２内への利用客の乗り降りに際して、かご荷重は変化して上下動するので、各かご３１，３２間の間隔も若干変動するが、緩衝材３３がその変動分を吸収して、エプロン３１２及び整風部材３２２に対して大きな負荷が加わらないように構成されている。
【００１１】
【発明が解決しようとする課題】
上記のように、従来のダブルデッキエレベータの乗りかごにおいて、緩衝材３３は、乗客の乗り降り時のかご荷重変動による上下各かご３１，３２間の間隔変動分を吸収し、上下各かご３１，３２にそれぞれ固定されたエプロン３１２及び整風部材３２２自体に無理な応力がかからないように構成されている。
【００１２】
しかしながら、ダブデッキエレベータが設置されるビル等では、構造上、乗場の階高が階床によってばらつきがある場合がある。
【００１３】
階高が階床によって異なる場合、上下各かご３１，３２間の間隔が一定のままでは、上下各かご３１，３２を同時に着床させ戸開させることができない。
【００１４】
従ってそのような場合は、上下各かご３１，３２をタイミングをずらして個別に着床させるか、あるいは乗りかご１側において、上下かご３１，３２間の間隔を変えるいわゆる階間調整を行い、階高に合わせてから着床戸開させることが行われる。エレベータの運行効率を高める観点上からは、後者の乗りかご１側における階間調整が採用されることが多い。
【００１５】
しかしながら、図８に示したように、ともに板状体からなるエプロン３１２と整風部材３２２とが緩衝材３３を介して連結固定された構造のダブルデッキエレベータでは、上下かご３１，３２間の間隔を変えることができないので、通常は、緩衝材３３を取り外し、予めエプロン３１２と整風板３２２とが衝突することがないように、両者間に予め広めの隙間が設けられている。
【００１６】
エプロン３１１と整風部材３２２との間に隙間が存在すると、乗りかご１の走行移動の際に発生する気流がその隙間を通過して、いわゆる風切り音が発生し、それが騒音として各かご３１，３２内に伝達されて、快適な乗り心地を妨げる要因となった。
【００１７】
そこで、本発明は、ダブルデッキエレベータにおいて、乗りかご側において階間調整が行なわれても、風切り音の発生が抑制され、騒音が少なく利用客が快適に利用できるダブルデッキエレベータを提供することを目的とする。
【００１８】
【課題を解決するための手段】
本発明は上記従来の課題を解決するためになされたもので、上下にかご室を有し、上かごの開閉扉の下部に垂設されたエプロンが下かごの開閉扉の上部に立設された整風部材に連結されてなるダブルデッキエレベータにおいて、前記整風部材は、上下方向に長さが伸縮自在に構成され、かつ、上かごまたは下かごに連結固定された案内部材に案内されて伸縮するように構成されたことを特徴とする。
【００１９】
このように、整風部材を上下方向に伸縮自在に構成することによって、整風部材自体の上下方向の長さが上下各かごの階間調整に対応して変化して、整風部材とエプロンとの間に隙間を生じさせないので、風切り音等による騒音発生を大幅に抑制できる。
【００２０】
また、本発明は、上下にかご室を有し、上かごの開閉扉の下部に垂設されたエプロンと下かごの開閉扉の上部に立設された整風板とを有するダブルデッキエレベータにおいて、前記整風板と前記エプロンとは、互いに前後方向に重ね合わせ部を有し、上かごまたは下かごに連結固定された案内部材に案内されて相対的に上下移動できるように構成されたことを特徴とする。
【００２１】
このように、整風板とエプロンとを、互いに前後方向に重ね合わせ部を有し、しかも案内部材に案内されて相対的に上下移動できるように構成することによって、たとえ乗りかごにおいて階間調整が行われたとしても、整風部材とエプロンとの間の隙間の形成は押さえられ、風切り音の発生を抑制することができる。
【００２２】
【発明の実施の形態】
以下、この発明によるダブルデッキエレベータの一実施の形態を図１ないし図５を参照し詳細に説明する。なお、図７、図８に示した従来のダブルデッキエレベータの乗りかごと同一構成には同一符号を付して詳細な説明は省略する。
【００２３】
（第１の実施の形態）
図１は本発明の第１の実施の形態によるダブルデッキエレベータの乗りかごを示す要部斜視図で、図２は図１のＡ−Ａ矢視拡大断面図である。
【００２４】
すなわち、ダブルデッキエレベータは、上かご３１の開閉扉３１１の敷居３１１ａ下部に垂下されたエプロン３１２と、下かご３２の開閉扉３２１天井より立設された整風部材３２３とが連結されている。
【００２５】
整風部材３２３自体は上下一対の横板３２３ａ，３２３ｂからなり、図２に示すように、互いに前後方向に重ね合わせ部分３２３ｃを有して、しかも上下縁部においてエプロン３１２及び下かご３２にそれぞれ固定されている。
【００２６】
また、下かご３２上には、横板３２３ｂの左右両端部の外側に、レール状の一対の案内部材３４，３４が対向配置されるように立設され、少なくとも上方の横板３２３ａがその案内部材３４，３４に案内されつつ上下動可能に構成されている。
【００２７】
すなわち、左右一対の案内部材３４，３４は、横断面が凹状をなし、その横断面の開口部が対向するように配置されていて、その開口部内に整風部材３２３の左右両縁部を緩やかに支持するので、エプロン３１２に上端部が固定された横板３２３ａは、その凹状の案内部材３４，３４に案内されつつ、上下方向にスライドすることができる。
【００２８】
なお、この実施の形態では、上記一対の案内部材３４，３４は、下端部において下かご３２の天井板に固定されているように示してあるが、上かご３１の敷居３１１ａ側に固定し、上記説明とは反対に、下方の横板３２３ｂが案内部材３４，３４に案内されてスライドするように構成しても良い。
【００２９】
この実施の形態のダブルデッキエレベータによれば、乗りかご２における階間調整により、たとえ上下各かご３１，３２間の間隔が大きく変化しても、その変化に対応して、一対の横板３２３ａ，３２３ｂが重ね合わせ部分３２３ｃを有しつつ上下方向に相対移動するようにスライドするので、エプロン３１２及び整風部材３２３に大きな隙間を生じることはない。
【００３０】
また、一対の横板３２３ａ，３２３ｂは、左右の両端部において、各案内部材３４，３４に案内されて上下方向に相対的にスライドするので、乗りかご１の昇降移動に際し、横板３２３ａ（あるいは３２３ｂ）が前後（乗場側及び昇降路側）方向に傾いてばたつくようなことは回避され安定する。
【００３１】
このように、この第１の実施の形態によれば、上下各かご３１，３２間のエプロン３１２及び整風部材３２３間に大きな隙間が生じないので、乗りかご１の昇降移動により気流が生じても、その気流による風切り音の発生は軽減され、静かで乗り心地の良いダブルデッキエレベータを提供することができる。
【００３２】
なお、上記説明の第１の実施の形態では、整風部材３２３自体を、相対的に上下にスライドする一対の横板３２３ａ，３２３ｂで構成したが、整風部材３２３自体を一枚の整風板で形成し、その整風板とエプロン３１２とが一部重ね合わせ部分を有して相対的に上下方向にスライド可能となるように構成しても同様な機能及び効果を有するダブルデッキエレベータを実現することができる。またその場合、第１の実施の形態の案内部材３４，３４を設けて整風部材３２３が案内されるようにすることができる。
【００３３】
（第２の実施の形態）
図３は、本発明によるダブルデッキエレベータの第２の実施の形態の要部拡大図である。
【００３４】
すなわち、図３において、ダブルデッキエレベータの上かご３１の敷居３１２ａの下部にはエプロン３１２が設けられ、そのエプロン３１２と下かご３２の天井との間に蛇腹状に構成された整風部材３２３が連結されている。
【００３５】
このように、整風部材３２３を蛇腹状に構成し、上下各端部をエプロン３１２及び下かご３２の天井に固定されて上下方向に伸縮可能としたので、乗りかご１の階間調整に伴い上かご３１と下かご３２との間の間隔がたとえ変化しても、それに対応して上下方向の長さが変化するので、整風部材３２３はもとより整風部材３２３とエプロン３１２との間は遮蔽され隙間は生じない。
【００３６】
なお、図３には示していないが、この第２の実施の形態においても、第１の実施の形態と同様に、蛇腹状の整風部材３２３の左右両縁部において、整風部材３２３の伸縮に際し上下方向に案内する案内部材（３４，３４）を設置して、整風部材３２３が前後方向に波のように起伏するのを抑制し、上下方向に安定した伸縮が行われるように構成することができる。
【００３７】
従って、この第２の実施の形態においても、エプロン３１２及び整風部材３２３には、乗りかご２の階間調整時において、隙間は生ぜず、風切り音の発生を軽減して乗り心地の良いダブルデッキエレベータを提供することができる。
【００３８】
（第３の実施の形態）
図４は本発明の第３の実施の形態によるダブルデッキエレベータの乗りかごを示す要部拡大図、図５は図４に示した整風部材の背面図で、第３の実施の形態は、第１の実施の形態によるダブルデッキエレベータのいわば他の応用例を示したものである。
【００３９】
すなわち、図４において、上かご３１の敷居３１１ａの下部に設けられたエプロン３１２と、下がご３２の天井に設けられた整風部材３２３とが図５で示すパンタグラフ機構３２４により連結されて構成されている。
【００４０】
整風部材３２３は、第１の実施の形態と同様に、上下一対の横板３２３ａ，３２３ｂにより構成されているが、上の横板３２３ａは、図５に示すように、エプロン３１２と下の横板３２３ｂとの間に差し渡して取り付けられたパンタグラフ機構３２４に係止されている。
【００４１】
パンタグラフ機構３２４は、図示のように、対向配置された一対のくの字状からなるリンク３２４ａ，３２４ａが、上下各両端部においてそれぞれエプロン３１２及び下方の横板３２３ｂに回動自在に軸支され、中心軸Ｐ，Ｐにおいて上の横板３２３に設けたレール３２４ｂに沿い横方向に摺動自在に構成されている。
【００４２】
そして、各リンク３２４ａ，３２４ａの各交叉点においてはピンＱが、交叉したアームを係止しつつ各アームの長さ方向に設けられたスリットＳに沿い移動可能に構成されている。
【００４３】
従って、上かご３１と下かご３２との間の階間調整が行われ、上かご３１と下かご３２ととの間が、たとえば図５（ａ）の状態から図５（ｂ）に示す状態に広がったとき、パンタグラフ機構３２４の作用により、上の横板３２３ａはエプロン３１２と下方の横板３２３ｂとの間にあって、引続きその間を塞ぐように機能する。
【００４４】
なお、この実施の形態では、エプロン３１２と下方の横板３２３ｂとの間にひとつのパンタグラフ機構が組み込み構成したが、横板の数を増やし、複数組みのパンタグラフを組み込むことによって、上下方向への伸縮度をより高めことができる。
【００４５】
以上説明のように、この第３の実施の形態によっても、乗りかご１の階間調整により上下各かご３１，３２間の間隔が上下方向に変化しても、連結された上下一対の横板３２３ａ，３２３ｂ間は、重ね合わせ部分を有して上下の長さ方向に伸縮して間隔が開くことがないので、風切り音の発生は軽減され、騒音の少ないダブルデッキエレベータを構成することができる。
【００４６】
なお、この実施の形態においても、第１の実施の形態と同様に、上下一対の横板３２３ａ，３２３ｂの各左右両縁部に共通に上下方向に整風部材３２３の伸縮を案内する案内部材を付加設置して、特に上の横板３２３ａが前後方向に波のように起伏するのを抑制し、上下方向に安定した伸縮が行われるように構成することができる。
【００４７】
（第４の実施の形態）
図６は本発明によるダブルデッキエレベータの第４の実施の形態を示した要部拡大図である。
【００４８】
すなわち、図６において、上かご３１の開閉扉３１１の下部に設けられたエプロン３１２と下かご３２との間に、整風部材３２３が連結され、整風部材３２３は下端部において下かご３２に固定された布製等からなるシート状の可撓部材３２３ｄが、エプロン３１２の下端部に設けられた巻き取り機構３２３ｅに巻き取られるように構成されている。
【００４９】
図６に示した巻き取り機構３２３ｅは、ロールスクリーン等に見られるいわゆるロールアップ式の巻き取り機構と同様な構成からなり、シート部材３２３ｄが内蔵されたばねにより常に上方に巻き取られるように付勢されている。
【００５０】
なお、この実施の形態では、巻き取り機構３２３ｅはエプロン３１２側に固定して設置されたが、下かご３２側に固定設置してロールダウン式とし、エプロン３１２側に一端部が固定された可撓部材３２３ｄが下方の巻き取り機構３２３ｅに巻き取られるように構成しても同様な効果を得ることができる。
【００５１】
上記のように、この第４の実施の形態においても、乗りかご１の階間調整によって上下かご３１，３２間の距離が変動しても、その変動に対応して整風部材３２３の上下長が伸縮して変化するので、エプロン３１２及び整風部材３２３間等に隙間が生じることがなく、風切り音の発生は抑制され、静かで快適なダブルデッキエレベータを提供することができる。
【００５２】
以上説明のように、本発明によれば、建物の階高が階床によって異なり、上下かご間の間隔がそれに対応して変化しても、上かごのエプロンと下かごの整風部材との間には大きな風切り音を発生させるような隙間は形成されないので、静かで乗り心地の良いダブルデッキエレベータを提供することができる。
【００５３】
【発明の効果】
以上のように、本発明によるダブルデッキエレベータによれば、階間調整時においても、上下かご間に設けられたエプロンと整風部材との間の隙間は押さえられ、整風時の風切り音等の発生が抑制されるので、実用に際し顕著な効果が得られる。
【図面の簡単な説明】
【図１】本発明のダブルデッキエレベータの第１の実施の形態の要部斜視図である。
【図２】図１に示すダブルデッキエレベータのＡ−Ａ矢視断面図である。
【図３】本発明のダブルデッキエレベータの第２の実施の形態の要部斜視図である。
【図４】本発明のダブルデッキエレベータの第３の実施の形態の要部斜視図である。
【図５】図５（ａ）は図４に示すエプロン及び調整部材の背面図、図５（ｂ）は図５（ａ）において、上下かご間が拡大したときのエプロン及び調整部材の背面図である。
【図６】本発明のダブルデッキエレベータの第４の実施の形態の要部斜視図である。
【図７】従来のダブルデッキエレベータの構成図である。
【図８】図７に示すダブルデッキエレベータの要部斜視図である。
【符号の説明】
１  乗りかご
２  かご枠
３１  上かご
３１１  開閉扉
３１１ａ  敷居
３１２  エプロン
３２  下かご
３２１  開閉扉
３２２  整風板
３２３  整風部材
３２３ａ、３２３ｂ  横板
３２３ｃ  重ね合わせ部
３２３ｄ  可撓部材
３２３ｅ  巻き取り機構
３２４  パンタグラフ機構
３４  案内部材
【図１】
0004666755.tif 000002
【図２】
0004666755.tif 000003
【図３】
0004666755.tif 000004
【図４】
0004666755.tif 000005
【図５】
0004666755.tif 000006
【図６】
0004666755.tif 000007
【図７】
0004666755.tif 000008
【図８】
0004666755.tif 000009